(57)【要約】【課題】コンパクトで剛性の高いケーシング構造を備える発電装置を提供する。【解決手段】発電装置１の本体ケーシング２は、下側に設けられ内部に第１空間２１ｓを形成する第１ケーシング２１と、上側に設けられ内部に第２空間２２ｓを形成する第２ケーシング２２と、上下方向に長尺筒状に形成され第１ケーシング２１と第２ケーシング２２とを連結し内部に第３空間２３ｓを形成する第１柱ケーシング２３と、上下方向に長尺筒状に形成されるとともに第１柱ケーシング２３に対し平行に対向配置され、第１ケーシング２１と第２ケーシング２２とを連結し内部に第４空間２４ｓを形成する第２柱ケーシング２４と、を有する。第１空間〜第４空間（２１ｓ〜２４ｓ）は一連に連絡され循環経路Pが形成され、この循環経路P内に回転部材５が循環配置されている。第３空間内下方向に向けて流れる流体により回転部材５が回転し発電する。【選択図】図１
2015121209.tif 000002
【特許請求の範囲】
【請求項１】
上下方向に長尺状に形成され、上部に入水口が下部に排水口がそれぞれ設けられた本体ケーシングと、前記本体ケーシング内において上下方向に伸長して配置され前記入水口から流入するとともに下方向に向けて降下する流体により回転する回転部材と、前記回転部材に機械的に連係され前記回転部材の回転により発電する発電機と、を備える発電装置において、
前記本体ケーシングは、
下側の端部に設けられ内部に第１空間を形成する中空形状の第１ケーシングと、
上側の端部に設けられ内部に第２空間を形成する中空形状の第２ケーシングと、
上下方向に長尺筒状に形成され、前記第１ケーシングと前記第２ケーシングとを連結し内部に第３空間を形成する第１柱ケーシングと、
上下方向に長尺筒状に形成されるとともに前記第１柱ケーシングに対し平行に対向配置され、前記第１ケーシングと前記第２ケーシングとを連結し内部に第４空間を形成する第２柱ケーシングと、を有し、
前記第１空間、前記第２空間、前記第３空間および前記第４空間は一連に連絡され、前記第１空間、前記第２空間、前記第３空間および前記第４空間により循環経路が形成され、前記循環経路内に前記回転部材が循環配置されていることを特徴とする発電装置。
【請求項２】
前記第１柱ケーシングと前記第２柱ケーシングは予め定められた離間長さを隔てて配置され、前記第１柱ケーシングと前記第２柱ケーシングとの間には離間空間が形成されていることを特徴とする請求項１に記載の発電装置。
【請求項３】
前記第１柱ケーシングおよび前記第２柱ケーシングは、それぞれ金属板より横断面形状が方形に形成されていることを特徴とする請求項２に記載の発電装置。
【請求項４】
前記第１柱ケーシングおよび前記第２柱ケーシング間は、複数の連結部材により連結されることを特徴とする請求項３に記載の発電装置。
【請求項５】
前記第１柱ケーシングおよび前記第２柱ケーシングは、それぞれ予め定められたユニット長さの複数のケーシング部材を連結して形成されることを特徴とする請求項３および請求項４のいずれかに記載の発電装置。
【請求項６】
前記発電装置は、前記第１ケーシング内に回転自在に配置された第１プーリと、前記第２ケーシング内に回転自在に配置された第２プーリと、を有し、
前記回転部材は、円環形状のベルトと、前記ベルトの外周面の取り付けられた複数のバケットと、を有し、
前記ベルトは前記第１プーリおよび前記第２プーリに掛け回されていることを特徴とする請求項１乃至請求項５のいずれかに記載の発電装置。
【請求項７】
請求項１乃至請求項６のいずれかに記載の発電装置と、パワーコンディショナと、を備えることを特徴とする発電システム。
【請求項８】
請求項２乃至請求項６のいずれかに記載の発電装置と、前記離間空間内に設けられたパワーコンディショナと、と備えることを特徴とする発電システム。
【請求項９】
下部に回転自在に配置された第１プーリと、上部に回転自在に配置された第２プーリと、前記第１プーリおよび前記第２プーリに掛け回された回転部材と、前記回転部材に機械的に連係され前記回転部材の回転により発電する発電機と、を備え、下方向に向けて降下する流体により前記回転部材を回転させることにより前記発電機を発電させる発電装置において、
前記回転部材は、両端部が拝み接続構造により接続され円環状に形成されたベルトと、前記ベルトの外周面の取り付けられた複数のバケットとを備えることを特徴とする発電装置。
【請求項１０】
上下方向に長尺状に形成され、上部に入水口が下部に排水口がそれぞれ設けられた本体ケーシングを備え、
前記本体ケーシングは、
下側の端部に設けられ内部に第１空間を形成する中空形状の第１ケーシングと、
上側の端部に設けられ内部に第２空間を形成する中空形状の第２ケーシングと、
上下方向に長尺筒状に形成され、前記第１ケーシングと前記第２ケーシングとを連結し内部に第３空間を形成する第１柱ケーシングと、
上下方向に長尺筒状に形成されるとともに前記第１柱ケーシングに対し平行に対向配置され、前記第１ケーシングと前記第２ケーシングとを連結し内部に第４空間を形成する第２柱ケーシングと、を有し、
前記第１空間、前記第２空間、前記第３空間および前記第４空間は一連に連絡され、
前記第１空間内に前記１第プーリが配置され、前記第２空間内に前記第２プーリが配置され、
前記第１空間、前記第２空間、前記第３空間および前記第４空間により循環経路が形成され、前記循環経路内に前記回転部材が循環配置されていることを特徴とする請求項９に記載の発電装置。
【請求項１１】
長尺状に形成され上下方向に配置される主柱を有し、下部に前記第１プーリが配置され、上部に前記第２プーリが配置された本体構造を備えることを特徴とする請求項９に記載の発電装置。
【請求項１２】
前記発電機は、ステータコイルが巻装された複数のコアティースを有するステータと、  前記ステータに対向して配置されるマグネットを備えるロータと、を備え、
前記コアティースの数をＳ、前記マグネットの周方向に交互に配置される磁極の数をＰとしたとき、ＳとＰは以下のいずれかの組み合わせであることを特徴とする請求項９乃至請求項１１のいずれか１項の発電装置。
（Ｓ，Ｐ）＝（９，８）、（Ｓ，Ｐ）＝（１２，１０）
（Ｓ，Ｐ）＝（１２，１４）、（Ｓ，Ｐ）＝（１８，１６）
【発明の詳細な説明】
【技術分野】
【０００１】
この発明は、水力により発電する発電装置および発電システムに関する。
【背景技術】
【０００２】
水力を利用する設置場所が狭い場合でも、設置可能なようにコンパクトに構成された発電装置として、例えば、特許文献１に記載されている発電装置がある。
【０００３】
特許文献１に記載されている発電装置は、上下にそれぞれ配置されたプーリと、外周面に複数のバケットが等間隔に取り付けられたベルトとを備える。このベルトは、上記の２つプーリのそれぞれに外側から掛け回される。そして、ベルトに取り付けられたバケットが落下する水を受け、落下する水によりバケットに力が作用しベルトが回転する。そして、この発電装置は、上記のベルトの回転により発電機が作動され発電する構造となっている。
【先行技術文献】
【特許文献】
【０００４】
【特許文献１】特開２０１０−２３０８９号公報
【発明の概要】
【発明が解決しようとする課題】
【０００５】
しかしながら、特許文献１の記載では、発電装置として単にプーリと、バケットが設けられたベルトとの組み合わせが、構想図としてモデル的に記載されているのみである。そのため、「ベルトとプーリ」を覆う「ケーシング構造」については、具体的な記載がない。ここで、この「ケーシング構造」として、コンパクトで剛性の高い構造が求められる。
【０００６】
そこで、この発明は、上述した事情に鑑みてなされたものであって、コンパクトで剛性の高いケーシング構造を備える発電装置を提供することである。
【課題を解決するための手段】
【０００７】
上記の課題を解決するために、本発明の発電装置は、上下方向に長尺状に形成され、上部に入水口が下部に排水口がそれぞれ設けられた本体ケーシングと、前記本体ケーシング内において上下方向に伸長して配置され前記入水口から流入し下方向に向けて降下する流体により回転する回転部材と、前記回転部材に機械的に連係され前記回転部材の回転により発電する発電機と、を備える。
【０００８】
そして、本体ケーシングは、下側の端部に設けられ内部に第１空間を形成する中空形状の第１ケーシングと、上側の端部に設けられ内部に第２空間を形成する中空形状の第２ケーシングと、上下方向に長尺筒状に形成され第１ケーシングと第２ケーシングとを連結し内部に第３空間を形成する第１柱ケーシングと、上下方向に長尺筒状に形成されるとともに第１柱ケーシングに対し平行に対向配置され、第１ケーシングと第２ケーシングとを連結し内部に第４空間を形成する第２柱ケーシングと、を有する。
【０００９】
ここで、第１空間、第２空間、第３空間および第４空間は一連に連絡され、第１空間、第２空間、第３空間および第４空間により循環経路が形成され、循環経路内に回転部材が循環配置されている。
【発明の効果】
【００１０】
本発明の発電装置によれば、コンパクトで剛性の高いケーシング構造を備える発電装置を提供することができる。
【図面の簡単な説明】
【００１１】
【図１】本発明の実施形態における発電システムの外観正面図である。
【図２】図１にて断面Ａ−Ａにて指示する本発明の第１実施形態における発電システムの横断面図である。
【図３】本発明の第１実施形態における発電システムの縦断面図である。
【図４】本発明の第１実施形態における発電システムの動作状態を説明する図である。
【図５】本発明の第２実施形態における発電システムの外観正面図である。
【図６】本発明の第２実施形態における発電システムの縦断面図である。
【図７】図６にて範囲Ｂにて指示する本発明の第２実施形態におけるベルトの（拝み）接続構造の詳細断面図である。
【図８】図７にてＣ方向（斜め上方）から見た（拝み）接続構造の斜視図である。
【図９】図７にてＤ方向（斜め下方）から見た（拝み）接続構造の斜視図である。
【図１０】本発明の第２実施形態における発電システムに備わる発電機の正面図である。
【図１１】図１０にて断面Ｅ−Ｅにて指示する発電機の縦断面図である。
【図１２】図１１にてＦ方向から見た発電機の裏面図である。
【図１３】本発明の第３実施形態における発電装置の外観正面図である。
【図１４】本発明の第３実施形態における発電装置の外観側面図である。
【発明を実施するための形態】
【００１２】
（第１実施形態）
次に、この発明の発電装置およびこの発電装置を備える発電システムの第１実施形態について、図１、図２および図３に基づき説明する。
【００１３】
発電システム１００は、図１に示すように発電装置１とパワーコンディショナＰＣとを備える。以下、発電装置１について説明する。
【００１４】
発電装置１は、主に、本体ケーシング２と、本体ケーシング２内に配置されたプーリ（３，４）と、本体ケーシング２内に配置された回転部材５と、発電機８とを備える。
【００１５】
本体ケーシング２は、薄板の金属板より上下方向に長尺状に形成され、上部２ｅに入水口２２ａが下部２ｆに排水口２１ａがそれぞれ設けられている。ここで、本実施形態においては、金属板としてステンレス材が用いられているがステンレス材に限らず鋼板その他の金属板であってよい。また、金属板に限らず樹脂その他の板材（複合材を含む）であってよい。
【００１６】
本体ケーシング２は、図１に示すように第１ケーシング２１、第２ケーシング２２、第１柱ケーシング２３および第２柱ケーシング２４を備える。第１ケーシング２１は、中空形状に形成され内部に第１空間２１ｓを形成するとともに、本体ケーシング２において下側の端部に配置される。そして、下部２ｆに排水口２１ａがそれぞれ設けられている。第２ケーシング２２は、中空形状に形成され内部に第２空間２２ｓを形成するとともに、本体ケーシング２において上側の端部に配置される。そして、上部２ｅに入水口２２ａが設けられている。なお、本形態では、第２ケーシング２２の入水口２２ａの形成箇所に導入部材２２ｂが取り付けられている。
【００１７】
第１柱ケーシング２３は、本体ケーシング２において上下方向に長尺筒状に形成され内部に第３空間２３ｓを形成するとともに、第１ケーシング２１と第２ケーシング２２間を連結する。第２柱ケーシング２４は、本体ケーシング２において上下方向に長尺筒状に形成され内部に第４空間２４ｓを形成するとともに、第１柱ケーシング２３に対し平行に対向配置され、第１ケーシング２１と第２ケーシング２２間を連結する。ここで、図２に示すように、第１柱ケーシング２３および第２柱ケーシング２４は、金属板より横断面形状がそれぞれ方形に形成されている。
【００１８】
ここで、図３に示すように、時計方向に順に第１空間２１ｓ、第４空間２４ｓ、第２空間２２ｓ、第３空間２３ｓは一連に連絡され、すなわち、第１空間２１ｓ、第２空間２２ｓ、第３空間２３ｓおよび第４空間２４ｓは一連に連絡され、第１空間２１ｓ、第２空間２２ｓ、第３空間２３ｓおよび第４空間２４ｓにより循環経路Ｐが形成される。
【００１９】
また、図１に示すように、第１柱ケーシング２３と第２柱ケーシング２４は、予め定められた離間長さＬを隔てて互いに平行に配置されている。そして、第１柱ケーシング２３と第２柱ケーシング２４との間には離間空間Ｓが形成されている。ここで、離間空間Ｓには複数の連結部材２５が上下方向に所定の間隔を隔て配置され、第１柱ケーシング２３と第２柱ケーシング２４を機械的に連結している。
【００２０】
上記のように、本体ケーシング２は、上下に配置された第１ケーシング２１と第２ケーシング２２を、２つの離間配置された第１柱ケーシング２３と第２柱ケーシング２４とで一体的に連結した構造、すなわち、方形状のラーメン構造となっているため高剛性に形成されている。ここで、上記のように第１柱ケーシング２３および第２柱ケーシング２４は、横断面形状がそれぞれ方形に形成されている。そのため、本体ケーシング２の重量を軽量としつつ、機械的強度はより高いものとなっている。さらに、第１柱ケーシング２３と第２柱ケーシング２４間を複数の連結部材２５で一体的に連結しているため、本体ケーシング２の剛性は一層高いものとなっている。また、本形態の発電装置１は、上下方向に長尺状に形成されているため、横方向にスペースの無い箇所においても容易に設置することができる。
【００２１】
また、第１柱ケーシング２３と第２柱ケーシング２４との間には、離間空間Ｓが形成されている。そのため、パワーコンディショナＰＣを発電装置１の外部に配置することなく、離間空間Ｓ内に配置することができ、小型でレイアウト性に優れた発電システム１００が実現される。
【００２２】
また、第１柱ケーシング２３と第２柱ケーシング２４は、それぞれ予め定められたユニット長さＵの複数のケーシング部材（２３ａ〜２３ｃ，２４ａ〜２４ｃ）を連結して形成されている。複数のケーシング部材（２３ａ〜２３ｃ，２４ａ〜２４ｃ）の連結数を変更することにより、容易に本体ケーシング２（発電装置１）の上下方向の長さを変更することができる。なお、本実施の形態のように複数のケーシング部材（２３ａ〜２３ｃ，２４ａ〜２４ｃ）を用いるのではなく、一体形成された第１柱ケーシングと第２柱ケーシングを用い、その長さを発電システム１００の設置場所に合わせて、調整してもよい。
【００２３】
さらに、作業者は連結部材２５を梯子として利用することができ、発電システム１００上部の補修メンテナンス作業を容易に行うことができる。
【００２４】
次に、主に図３に基づき、発電装置１の内部構造について説明する。
【００２５】
図３に示すように、発電装置１は、第１ケーシング２１内に回転自在に軸支された回転軸３ａを介し配置された第１プーリ３と、第２ケーシング２２内に回転自在に軸支された回転軸４ａを介して配置された第２プーリ３とを備える。また、回転部材５は、円環形状のベルト５１と、ベルト５１の外周面５１ａに円周方向等間隔に取り付けられた複数のバケット５２とを備える。そして、ベルト５１は、第１プーリ３および第２プーリ４に掛け回されている。
【００２６】
図３に示すように、第１プーリ３と第２プーリ４は本体ケーシング２の上下端部に配置されており、第１プーリ３と第２プーリ４に掛け回される回転部材５は、本体ケーシング２内において上下方向に伸長して配置される。
【００２７】
また、図３に示すように、回転部材５のバケット５２は、第１柱ケーシング２３内の第３空間２３ｓ内において、上側に向けて開口した状態で配置される。すなわち、第３空間２３ｓ内に配置されたバケット５２は、上方から落下する流体Ｒを効果的に受ける向きにて本体ケーシング２配置されている。
【００２８】
そして、図１に示すように、第２プーリ４を内包する第２ケーシング２２の外側には、第１連係プーリ６が回転軸４ａに取り付けられている。そのため、回転軸４ａを介して第１連係プーリ６は、第２プーリ４と同行する。また、第２ケーシング２２の側壁には第２連係プーリ７が回転自在に設けられている。同様に、第２ケーシング２２の側壁には、発電機８が取り付けられている。ここで、第１連係プーリ６と第２連係プーリ７は第１チェーン９で動力連結され、第２連係プーリ７と発電機８は第２チェーン１０で動力連結されている。
【００２９】
次に、図１に基づき発電システム１００に備わるパワーコンディショナＰＣについて説明する。パワーコンディショナＰＣは、制御装置１１、２次電池１２およびインバータ１３と、を備える。発電機８〜制御装置１１、制御装置１１〜２次電池１２、および２次電池〜インバータ１３は、それぞれ接続線で接続されている。そして、発電機８で発電された電力は制御装置１１で所定の電力信号に変換され２次電池１２に充電される。そして、２次電池１２に充電された電力はインバータ１３で所定の外部出力に変換される。インバータ１３には、外部出力用のコンセント１３ａが設けられている。
【００３０】
最後に、図４に基づき本実施形態の作用について説明する。図４に示すように、入水口２２ａから流入した水（流体）Ｒは、本体ケーシング２の第３空間２３ｓ内を下方向に向けて降下する。この降下する水Ｒの上に向けて開口したバケット５２が受けることにより、第３空間２３ｓ内に配置されたバケット５２に下向きの力が作用する。そして、この下向きの力のより回転部材５は回転し、この回転部材５の回転により第２プーリ４が回転される。そして、この第２プーリ４の回転が第１連係プーリ６〜第２連係プーリ７を介して、発電機８へと伝えられる。そして、発電機８に伝えられた回転部材５の回転により、発電機８は発電し、発電された電力は２次電池１２に充電される。
【００３１】
（第２実施形態）
次に、この発明の発電装置およびこの発電装置を備える発電システムの第２実施形態について、図５〜図１２に基づき説明する。発電システム３００は、図５に示すように発電装置２００と、パワーコンディショナＰＣとを備える。
【００３２】
ここで、第２実施形態における発電システム３００は、第１実施形態における発電システム１００と比して、回転部材１５０および発電機１１０の構造のみ異なる。そのため、以下、回転部材１５０および発電機１１０についてのみ説明し、その他の部材（部分）については、第１実施形態と同一の符号を付すとともに説明を省略する。
【００３３】
（回転部材）
回転部材１５０は、円環形状のベルト１５１と、ベルト１５１の外周面１５１ａに円周方向等間隔に取り付けられた複数のバケット１５２とを備える。そして、ベルト１５１は、第１プーリ３および第２プーリ４に掛け回されることにより円環形状に形成される。
【００３４】
（拝み接続構造）
ここで、ベルト１５１の両端部（１５１ｂ，１５１ｃ）を接続は、いわゆる「拝み接続構造」１５３となっている。図７から図９に示すように、拝み接続構造１５３では、ベルト１５１の第１端部１５１ｂ及び第２端部１５１ｃは、ベルト１５１の円周面に対し外側に向けて略直角に折り曲げられる。そして、第１端部１５１ｂ及び第２端部１５１ｃは略直角に折り曲げられた状態で、Ｌ字形状の第１プレート１５３ａ及び第２プレート１５３ｂで外側から挟み込まれる。そして、ワッシャ１５３ｅを介してボルト１５３ｃとナット１５３ｄにより挟持固定される。
【００３５】
このとき、第１端部１５１ｂ及び第２端部１５１ｃに一体に繋がる第１折り返し端部１５１ｇ及び第２折り返し端部１５１ｈの内周面（１５１ｆ，１５１ｆ）は同一平面状に連続的に配置される。このようにして、第１折り返し端部１５１ｇ及び第２折り返し端部１５１ｈの内周面（１５１ｆ，１５１ｆ）は同一平面状の連続面を形成する。この連続面は、外周面が円弧形状の第１プーリ３又は第２プーリ４に当接する際は、連続円弧面状の連続面を形成する。
【００３６】
このように、ベルト１５１の両端部（１５１ｂ，１５１ｃ）の接続を拝み接続構造１５３とすることにより、接続構造１５３が第１プーリ３又は第２プーリ４に当接する前後において、ベルト１５１のテンション（長さ方向の収縮余力）は変化しない。
【００３７】
すなわち、接続構造１５３が第１プーリ３又は第２プーリ４に当接する「前」において、ベルト１５１のテンションが当接する「後」に対して殆ど変化しない。そのため、ベルト１５１とプーリ（３，４）との摩擦接触力を一定に保つことができ、ベルト１５１とプーリ（３，４）が摩擦接触力の低下により、滑ることがない。すなわち、ベルト１５１とプーリ（３，４）との間の滑り接触（滑り損失）により発電出力が低下することはない。
【００３８】
（発電機）
次に、図１０〜図１２に基づき発電機１１０の構造について説明する。ここで、図１０は発電機１１０の正面図であり、図１１は図１０において断面Ｅ−Ｅにて示す発電機１１０の縦断面図であり、図１２は図１１においてＦ方向から見た発電機１１０の裏面図である。
【００３９】
発電機１１０は、ハウジング１１１と、ステータ１１２と、ロータ１１３と、シャフト１１４と、を備える。ハウジング１１１は、中空形状に形成されており、中空部内にベアリング１１５及びベアリング１１６が配置されている。
【００４０】
ステータ１１２は、ステータコア１１２ｘと、複数のステータコイル１１２ｃとを備える。ステータコア１１２ｘは、複数の薄板の鋼板が積層された形成され、ネジ１１７によりハウジング１１１に固定されている。ステータコア１１２ｘは、円環形状のコア本体１１２ａと、複数のコアティース１１２ｂを備える。複数のコアティース１１２ｂは、コア本体１１２ａの外周面から径方向外側に向けて放射状に突出配置されている。本実施形態では、コアティース１１２ｂの数Ｓは、「１８（Ｓ＝１８）」に設定されている。そして、各コアティース１１２ｂには、それぞれステータコイル１１２ｃが集中巻きにて巻装されている。
【００４１】
ロータ１１３は、ロータ本体１１３ａと、マグネット１１３ｂと、を備える。ロータ本体１１３ａは、有底円筒形状に形成された筒部は、ステータ１１２を囲んでステータ１１２の外側に配置されている。そして、円環形状のマグネット１１３ｂがロータ本体１１３ａの筒部の内側に取り付けられている。ここで、マグネット１１３ｂには周方向に交互に異極となる磁極が形成されている。本実施形態では、マグネット１１３ｂの磁極の数Ｐは、「１６（Ｐ＝１６）」に設定されている。
【００４２】
シャフト１１４は、ベアリング（１１５，１１６）の内輪に支持されており、シャフト１１４にロータ１１３のロータ本体１１３ａが取り付けられている。そのため、回転部材１５０のベルト１５１の回転によりシャフト１１４が回転すると、シャフト１１４とともにロータ１１３が回転する。そして、ロータ１１３の回転によりステータ１１２のステータコイル１１２ｃに誘導起電力が生じ発電される。
【００４３】
上記のように、コアティース１１２ｂの数を「Ｓ」、マグネット１１３ｂの磁極の数を「Ｐ」としたとき、本実施形態ではＳを１８、かつ、Ｐを１６（（Ｓ，Ｐ）＝（１８，１６））に設定されている。このように（Ｓ，Ｐ）を（１８，１６）に設定することにより、発電機１１０のコギングトルクを小さく設定することができる。このようにコギングトルクを小さく設定することにより、回転部材１５０に作用する水の水量が小さい場合でも、発電機１１０を円滑に作動することができ、発電を行うことができる。また、（Ｓ，Ｐ）を（１８，１６）に設定するトルクリップルを小さく設定することができ、トルクリップルにより生じる発電機の回転音（騒音）を小さくすることができる。
【００４４】
本実施形態では、コギングトルクおよびトルクリップルを小さくする発電機として、（Ｓ，Ｐ）は（１８，１６）に設定されている。しかし、（Ｓ，Ｐ）は（１８，１６）でなくてもよく、（Ｓ，Ｐ）は以下のいずれかであってよい。
（Ｓ，Ｐ）＝（９，８）、（Ｓ，Ｐ）＝（１２，１０）
（Ｓ，Ｐ）＝（１２，１４）、（Ｓ，Ｐ）＝（１８，１６）
（第３実施形態）
次に、この発明の発電装置の第３実施形態について、図１３および図１４に基づき説明する。
【００４５】
ここで、第３実施形態における発電装置４００は、第２実施形態における発電装置２００と比して、本体ケーシング（本体サポート）の構造のみ異なる。そのため、以下、本体ベース４２０についてのみ説明し、その他の部材（部分）については、第２実施形態と同一の符号を付すとともに説明を省略する。
【００４６】
本体サポート４２０は、地面に設置される板状の架台４２１と、第１主柱４２２と、第２主柱４２３と、第１〜第４支持柱（４２２ａ，４２２ｂ，４２３ａ，４２３ｂ）、回転軸４３１と、回転軸４４１と、第１プーリ４３０と、第２プーリ４４０と、第１〜第４プレート（４５１〜４５４）と、を備える。
【００４７】
第１主柱４２２は、架台４１２の上面に対し垂直に立設した配置されている。同様に、第２主柱４２３も、架台４１２の上面に対し垂直に立設した配置されている。ここで、第２主柱４２３は、第１主柱４２２に対し所定の距離において離間して平行に配置されている。そして、第１主柱４２２は、第１および第２支持柱（４２２ａ，４２２ｂ）により構造的に支持され、第２主柱４２３は、第３および第４支持柱（４２３ａ，４２３ｂ）により構造的に支持されている。
【００４８】
主柱（４２２，４２３）の下部には回転軸４３１が配置され、主柱（４２２，４２３）の上部には回転軸４４１が配置されている。そして、回転軸４３１には第１プーリ４３０が設けられ、回転軸４４１には第２プーリ４４０が設けられている。そして、第２実施形態と同様に、第１プーリ４３０および第２プーリ４４０に、回転部材１５０のベルト１５１が掛け回されている。
【００４９】
ここで、回転軸４３１は第１プーリ４３０と同行回転するよう設定されており、また、回転軸４３１は発電機１１０のシャフト１１４に取り付けられている。上記の連係構造により、ベルト１５１の回転により、第１プーリ４３０および回転軸４３１を介して、発電機１１０のシャフト１１４が回転する。
【００５０】
また、第１プーリ４３０の両側（プーリ４３０と第１主柱４２２の間）には、第１プレート４５１および第２プレート４５２が設けられている。同様に、第２プーリ４４０の両側（プーリ４４０と第１主柱４２２の間）には、第３プレート４５３および第４プレート４５４が設けられている。
【００５１】
第３実施形態の発電装置４００は、第１および第２実施形態の発電装置（１，２００）と異なり、プーリおよびベルトを覆い包む本体ケーシングが設けられていないため、プーリ（４３０，４４０）とベルト１５１との間に、異物が挟み込まれることが懸念される。これに対し、上記のようにプレート（４５１〜４５４）を配置することにより、異物が挟み込まれること未然に防止することができる。
【００５２】
また、第３実施形態の発電装置４００は、電力装置として電力ビジネスに用いるほか、学校教育における教材として用いることも考えられる。教材として用いられた場合には、上記のようにプレート（４５１〜４５４）を配置することにより、教材を用いる児童・生徒の肢体が、不用意に挟まれることを有効に防止することができる。
【００５３】
なお、本発明は上述の実施形態に限られるものではなく、本発明の趣旨を逸脱しない範囲において、上述の実施形態に種々の変更を加えたものを含む。
【符号の説明】
【００５４】
１・・・発電装置
２・・・本体ケーシング
２ａ~２ｄ・・・係合部
２ｅ・・・上部
２ｆ・・・下部
２１・・・第１ケーシング
２１ａ・・・排水口
２１ｓ・・・第１空間
２２・・・第２ケーシング
２２ａ・・・入水口
２２ｂ・・・導入部材
２２ｓ・・・第２空間
２３・・・第１柱ケーシング
２３ａ~２３ｃ・・・ケーシング部材
２３ｓ・・・第３空間
２４・・・第２柱ケーシング
２４ａ~２４ｃ・・・ケーシング部材
２４ｓ・・・第４空間
２５・・・連結部材
３・・・第１プーリ
３ａ・・・回転軸
４・・・第２プーリ
４ａ・・・回転軸
５・・・回転部材
５１・・・ベルト
５１ａ・・・外周面
５２・・・バケット
６・・・第１連係プーリ
７・・・第２連係プーリ
８・・・発電機
９・・・第１チェーン
１０・・・第２チェーン
１１・・・制御装置
１２・・・２次電池
１３・・・インバータ
１３ａ・・・コンセント
１００・・・発電システム
Ｒ・・・水（流体）
Ｐ・・・循環経路
Ｌ・・・離間長さ
Ｓ・・・離間空間
Ｕ・・・ユニット長さ
ＰＣ・・・パワーコンディショナ
２００・・・発電装置
１５０・・・回転部材
１５１・・・ベルト
１５１ｂ・・・第１端部
１５１ｃ・・・第２端部
１５１ｄ・・・第１プレート
１５１ｅ・・・第２プレート
１５１ａ・・・外周面
１５１ｆ・・・内周面（連続面）
１５１ｇ・・・第１折り返し端部
１５１ｈ・・・第２折り返し端部
１５２・・・バケット
１５３・・・（拝み）接続構造
１５３ａ・・・第１プレート
１５３ｂ・・・第２プレート
１５３ｃ・・・ボルト
１５３ｄ・・・ナット
１５３ｅ・・・ワッシャ
１１０・・・発電機
１１１・・・ハウジング
１１２・・・ステータ
１１２ｘ・・・ステータコア
１１２ａ・・・コア本体
１１２ｂ・・・コアティース
１１２ｃ・・・ステータコイル
１１３・・・ロータ
１１３ａ・・・ロータ本体
１１３ｂ・・・マグネット
１１３ｃ・・・挿通孔
１１４・・・シャフト
１１５・・・ベアリング
１１６・・・ベアリング
１１７・・・ネジ
３００・・・発電システム
４００・・・発電装置
４２０・・・本体サポート
４２１・・・架台
４２２・・・第１主柱
４２２ａ・・・第１支持柱
４２２ｂ・・・第２支持柱
４２３・・・第２主柱
４２３ａ・・・第３支持柱
４２３ｂ・・・第４支持柱
４３０・・・第１プーリ
４３１・・・回転軸
４４０・・・第２プーリ
４４１・・・回転軸
４５１・・・第１プレート
４５２・・・第２プレート
４５３・・・第３プレート
４５４・・・第４プレート
【図１】
2015121209.tif 000003
【図２】
2015121209.tif 000004
【図３】
2015121209.tif 000005
【図４】
2015121209.tif 000006
【図５】
2015121209.tif 000007
【図６】
2015121209.tif 000008
【図７】
2015121209.tif 000009
【図８】
2015121209.tif 000010
【図９】
2015121209.tif 000011
【図１０】
2015121209.tif 000012
【図１１】
2015121209.tif 000013
【図１２】
2015121209.tif 000014
【図１３】
2015121209.tif 000015
【図１４】
2015121209.tif 000016